(57)【要約】【課題】ミラーに映る使用者の顔や姿を見やすくする構造を備えるミラー付車両用サンバイザを提供する。【解決手段】表面と裏面を備える板状のバイザ本体１０と、表面に露出するようにバイザ本体に装着される矩形のミラー２０と、バイザ本体１０の表面に設けられかつ反射率が４０％以上である第１反射部１５を有し、当該第１反射部１５は、少なくともミラー２０の上辺または下辺に沿う第１領域とミラー２０の側辺に沿う第２領域に沿って配設されるミラー付車両用サンバイザ１である。さらに、ミラー２０の上辺近傍においてバイザ本体１０に回動可能に装着されるミラーリッド３０を有し、ミラーリッド３０は、ミラー２０を覆う閉じ位置においてミラー２０に対向しかつミラー２０を露出する開き位置において使用者に向く面に反射率が６０％以上である第２反射部３５が設けられる。【選択図】図３
2019084962.tif 000002
【特許請求の範囲】
【請求項１】
ミラー付車両用サンバイザであって、
表面と裏面を備える板状のバイザ本体と、
前記表面に露出するように前記バイザ本体に装着される矩形のミラーと、
前記バイザ本体の前記表面に設けられかつ反射率が４０％以上である第１反射部を有し、該第１反射部は、少なくとも前記ミラーの上辺および／または下辺に沿う第１領域に沿って配設されるミラー付車両用サンバイザ。
【請求項２】
請求項１に記載のミラー付車両用サンバイザであって、
前記第１反射部が、さらに前記ミラーの側辺に沿う第２領域に沿って配設されるミラー付車両用サンバイザ。
【請求項３】
請求項１または請求項２に記載のミラー付車両用サンバイザであって、
前記ミラーの前記上辺近傍において前記バイザ本体に回動可能に装着されるミラーリッドを有し、
前記ミラーリッドは、前記ミラーを覆う閉じ位置において前記ミラーに対向しかつ前記ミラーを露出する開き位置において使用者に向く面に反射率が６０％以上である第２反射部が設けられるミラー付車両用サンバイザ。
【請求項４】
請求項１〜３のいずれか１つに記載のミラー付車両用サンバイザであって、
前記ミラーの左側にて前記バイザ本体に設けられる左側照明具と、
前記ミラーの右側にて前記バイザ本体に設けられる右側照明具を有し、
前記左側照明具と前記右側照明具は、光源である発光ダイオードと、前記発光ダイオードから発せられた光を前記発光ダイオードの方向以外の方向へ反射する第１反射板と、前記第１反射板からの光を使用者に向けて反射する第２反射板を有し、
前記左側照明具と前記右側照明具の間隔が１０〜２５ｃｍに設定されているミラー付車両用サンバイザ。
【請求項５】
ミラー付車両用サンバイザであって、
表面と裏面を備える板状のバイザ本体と、
前記バイザ本体の前記表面に露出するように前記バイザ本体に装着されるミラーと、
前記ミラーの前記上辺近傍において前記バイザ本体に回動可能に装着されるミラーリッドを有し、
前記ミラーリッドは、前記ミラーを覆う閉じ位置において前記ミラーに対向しかつ前記ミラーを露出する開き位置において使用者に向く面に反射率が６０％以上である第２反射部が設けられるミラー付車両用サンバイザ。
【発明の詳細な説明】
【技術分野】
【０００１】
本発明は、ミラー付車両用サンバイザに関する。
【背景技術】
【０００２】
特許文献１には、バイザ本体にミラーを備える車両用サンバイザが開示されている。バイザ本体は、例えば天井に沿う格納位置とフロントガラスに沿う使用位置とに回転可能に車両天井に取付けられる。使用位置において使用者に対面するバイザ本体の表面にミラーユニットが取付けられる。ミラーユニットは、ミラーとミラーを開閉するミラーリッドを有する。ミラーリッドは、ミラーの上端を回動支点にして回転してミラーを開閉する。
【先行技術文献】
【特許文献】
【０００３】
【特許文献１】特開２００２−１６６７２３号公報
【発明の概要】
【発明が解決しようとする課題】
【０００４】
ミラーは、通常、使用者の顔や姿を映すために使用される。しかしミラーに映る使用者の顔や姿の一部に陰影が生じることで顔や姿が見づらくなる場合がある。そのためミラーに映る使用者の顔や姿を見やすくする構造を備えるミラー付車両用サンバイザが従来求められている。
【課題を解決するための手段】
【０００５】
本発明の１つの特徴によると、ミラー付車両用サンバイザは、表面と裏面を備える板状のバイザ本体と、表面に露出するようにバイザ本体に装着されるミラーを有する。さらにバイザ本体の表面に設けられかつ反射率が４０％以上である第１反射部を有する。第１反射部は、少なくともミラーの上辺および／または下辺に沿う第１領域とミラーの側辺に沿う第２領域に沿って配設される。
【０００６】
したがって反射率の高い第１反射部がミラーの近傍に位置する。そのため第１反射部は、光を受けると、ミラーを見ている使用者に向けて光を反射する。これによりミラーに映る使用者の顔や姿に陰影が生じ難い。その結果、ミラーに映る使用者の顔や姿が見やすくなる。なおミラーは、直接的にバイザ本体に取付けられても良いし、他の部材を介して間接的にバイザ本体に取付けられても良い。
【０００７】
他の特徴によると、ミラーの上辺近傍を支軸としてバイザ本体に回転可能に装着されるミラーリッドを有する。ミラーリッドは、ミラーを覆う閉じ位置においてミラーに対向しかつミラーを露出する開き位置において使用者に向く面に反射率が４０％以上である第２反射部が設けられる。したがってミラーリッドの第２反射部は、反射率が高く、ミラーを見ている使用者に向けて照明具から発せられた光を反射する。これによりミラーに映る使用者の顔や姿に陰影がより生じ難く、使用者の顔や姿が見やすくなる。なおミラーリッドは、直接的にバイザ本体に取付けられても良いし、他の部材を介して間接的にバイザ本体に取付けられても良い。
【０００８】
他の特徴によると、ミラーの左側にてバイザ本体に設けられる左側照明具と、ミラーの右側にてバイザ本体に設けられる右側照明具を有する。左側照明具と右側照明具は、光源である発光ダイオードと、発光ダイオードから発せられた光を発光ダイオードの方向以外の方向へ反射する第１反射板と、第１反射板からの光を使用者に向けて反射する第２反射板を有する。左側照明具と右側照明具の間隔が１０〜２５ｃｍに設定されている。
【０００９】
したがって発光ダイオードから発せられた光は、第１反射板と第２反射板によって直接ではなく間接的に使用者に向けて照射される。また発光ダイオードから発生される光は、指向性を有し、例えば反射板によって指向性がある光が所定の間隔を有する左側照明具と右側照明具から使用者へ向けて発せられる。この間隔が１０ｃｍよりも大きく設定されているため、光が使用者の両目の視界の角度内（グレアゾーンとも称される）から外れやすい（図４参照）。かくして使用者の眩しさを低減することができる。
【００１０】
一方で、グレアゾーンから左側照明具と右側照明具の光を外すと、左側照明具と右側照明具の光には指向性があり、拡散しないため、使用者の顔や姿の一部に光が当たらず陰影が生じてしまうことがある。これに対して左側照明具と右側照明具の間隔は、２５ｃｍよりも小さく設定されている場合もある。そのため使用者の顔や姿に陰影が大きく生じることを避けることができる。しかもミラーの近傍に位置するミラーリッドには反射率が６０％以上の第２反射部が設けられている。したがって照明具からの光が第２反射部によって反射され、使用者の顔や姿を照らして陰影を生じ難くなる。かくしてミラーに映る使用者の顔や姿が見やすくなる。
【００１１】
他の特徴によると、車両用サンバイザは、表面と裏面を備える板状のバイザ本体と、バイザ本体の表面に設けられてバイザ本体光を発する照明具と、バイザ本体の前記表面に露出するように前記バイザ本体に装着されるミラーを有する。さらにミラーの上辺近傍においてバイザ本体に回転可能に装着されるミラーリッドを有する。ミラーリッドは、ミラーを覆う閉じ位置においてミラーに対向しかつミラーを露出する開き位置において使用者に向く面に反射率が６０％以上である第２反射部が設けられる。
【００１２】
したがって照明具からの光がミラーリッドの第２反射部において反射して使用者に向けて照射される。これにより使用者の顔や姿に陰影を生じ難くなり、ミラーに映る使用者の顔や姿が見やすくなる。
【００１３】
本願明細書において、数値範囲を示す「○○〜××」とは、特に明示しない限り「○○以上××以下」を意味する。
【図面の簡単な説明】
【００１４】
【図１】遮光可能な位置にあるミラー付き車両用サンバイザを表す斜視図である。
【図２】ミラー蓋を閉じた状態のバイザ本体の平面図である。
【図３】ミラー蓋を開いた状態のバイザ本体の平面図である。
【図４】図３のＩＶ−ＩＶ線断面図である。
【図５】図３のＶ−Ｖ線断面図である。
【図６】使用者の視界の角度とバイザ本体との位置関係を示す模式図である。
【図７】他の実施の形態のミラー付き車両用サンバイザの装着状態を表す斜視図である。
【発明を実施するための形態】
【００１５】
〔実施の形態〕
実施の形態はミラー付車両用サンバイザの例であって、図１〜図６を参照しながら説明する。まず。図１に表す車両用サンバイザ１は、板状に形成されたバイザ本体１０と、当該バイザ本体を支持する支軸５と、当該支軸５を車室天井面４に取り付けるブラケット６とを有する。支軸５は中空状で外観がほぼＬ字状に形成されており、一端側はバイザ本体１０の周縁に沿って挿入され、他端側は回動可能にブラケット６に取り付けられている。この支軸５によって、実線で表す遮光位置のミラー付車両用サンバイザ１を収納位置（二点鎖線の車両用サンバイザ１ａ）に収納したり、横からの日除けとして窓側位置（二点鎖線の車両用サンバイザ１ｂ）にブラケット６を支点に回動させることができる。
【００１６】
図２〜４に示すバイザ本体１０にミラーユニット１９が取り付けられて形成される。ミラーユニット１９は、ミラー２０と、当該ミラー２０を開閉するミラー蓋３０と、左側照明具４０と、右側照明具５０と、トリム６０と、照明台座７０とを有する。ミラー蓋３０は本願明細書における「ミラーリッド」に相当する。ミラー２０、ミラー蓋３０、左側照明具４０、右側照明具５０は、トリム６０及び照明台座７０を介して間接的にバイザ本体１０に取り付けられている。
【００１７】
図４及び図５に示すように、バイザ本体１０はシェル状の表側殻体１１と裏側殻体１２によって中空板状に形成されており、表側殻体１１及び裏側殻体１２の外表面を覆う表皮１３を有する。表側殻体１１と裏側殻体１２とは、例えば樹脂成形型内に射出することで成形される。ここで、バイザ本体１０の表側とは、バイザ本体１０を遮光可能な使用位置にあるとき（図１の実線参照）に使用者と対向する面をいう。逆に、バイザ本体１０の裏側とは、バイザ本体１０を遮光可能な使用位置にあるときにフロントガラス側（すなわち車両側）に位置する。表側殻体１１には、板面の中央寄りに凹部１１ａが形成されている。凹部１１ａを形成する左側の側壁はなく、中空板状のバイザ本体１０の内部に通じる挿入口１１ｂが存在している。
【００１８】
表皮１３のうち表側殻体１１の外表面を覆う部位の色は白色に設定されている。すなわち、バイザ本体の表面側は第１反射部１５として設定されている。その一方、表皮１３のうち裏側殻体１２の外表面を覆う部位、すなわちバイザ本体の裏面側の色は有色であり、例えば、一般の車体の内装合わせ灰色や褐色に設定することができる。また、表皮１３の素材としては、例えばポリ塩化ビニル（ＰＶＣ）などの熱可塑性樹脂シートや織布とする。
【００１９】
トリム６０は、横長で矩形の枠形状に形成されている。トリム６０のトリム６０の左端辺からは板状の突出部６１が形成されている。また、トリム６０の左右両端部には略Ｌ字状の係止部６２ａ，６２ｂが設けられている。
【００２０】
照明台座７０は、横長の長方形状に形成されている。照明台座７０の外形は枠状のトリム６０の内形とほぼ同様の形状となっている。照明台座７０の中央部には平面部７１が設けられており、平面部の左右両端辺には段差が形成されており、段部７２，７３が設けられている。
【００２１】
まず、照明台部７０は、表側殻体１１の凹部１１ａ上に配置される。このとき、枠状のトリム６０の内形と照明台座７０の外形がほぼ同様であることから、トリム６０の枠内に照明台座７０が嵌め込まれる。さらに、照明台座７０は記載していない爪部によって、トリム６０に固定される。
【００２２】
ミラー２０は、照明台座７０の平面部７１を台座として配置される。ミラー２０の左右両端辺は後述する左側照明具と右側照明具のレンズ４１，５１に表方及び左右から押さえられて保持される。
【００２３】
照明台座７０に形成された左右の段部７２，７３にはそれぞれ、左側照明具４０と右側照明具５０が設置される。左側照明具４０と右側照明具５０は、いずれも車両の電源（バッテリ等）から支軸５の中空を通るケーブルを経て供給を受ける電力で作動可能になっている。左側照明具４０と右側照明具５０は両者とも同一の構造である。したがって、右側照明具５０の説明をすることで、左側照明具４０の説明も兼ねる。
【００２４】
図５に示すように、右側照明具５０はレンズ５１、発光ダイオード５２、第１反射板５３、第２反射板５４を有する。第１反射板５３は、発光ダイオード５２に対し、やや斜傾して配置される。第２反射板５４は右側照明具５０の発光方向に向けてその反射面を向けるようにして配置される。レンズ５１はこれらの発光ダイオード５２、第１反射板５３、及び第２反射板５４を覆うと共に、ミラー２０を押さえ付ける役割も果たす。
【００２５】
なお、左側照明具と右側照明具との間隔は１０〜２５ｃｍとし、好ましくは１２〜２２ｃｍ、より好ましくは１４〜２０ｃｍとする。左側照明具と右側照明具との間隔が１０ｃｍ未満である場合、照明具からの光が使用者の視界の角度内（グレアゾーン）内に入り、使用者に眩しさを感じさせる虞がある。また、左側照明具と右側照明具との間隔を２５ｃｍよりも大きくすると、使用者の顔や姿の多くに陰影が生じてしまい、ミラー２０で使用者の顔や姿が確認しづらくなる。
【００２６】
図２に示すように、ミラー蓋３０は横長の長方形状に形成されている。図４に示すように、ミラー蓋３０のミラー２０と対向する面は、使用者側に対応する表皮と同様、白色に設定され、第２反射部３５となっている。図５に示すように、ミラー蓋３０はミラー２０の上辺に沿って軸部３２を介してトリム６０に装着されている。すなわち、ミラー蓋３０は、ミラー２０を覆う閉じ位置からミラー２０を露出させる開き位置まで回動可能である。なお、開き位置と閉じ位置との角度は１２０°以上であることが好ましい。１２０°以上であれば、開き位置において第２反射部３５が使用者に向きやすくなるためである（図４参照）。
【００２７】
図５に示すように、トリム６０の下面には付勢部材３３が装着されている。付勢部材はその先端３３ａを図５で見て反時計回りの方向に付勢する。この付勢部材３３により、ミラー蓋３０が開き位置に近くなると、ミラー蓋３０のミラー２０と対向しない面側が付勢部材３３の先端３３ａによって押圧され、開き位置に向けてさらに回動する。逆にミラー蓋３０が閉じ位置に近くなると、ミラー蓋３０のミラー２０と対向する面側が付勢部材３３の先端３３ａによって押圧され、閉じ位置に向けて回動する。
【００２８】
上述のように形成されたミラーユニット１９は、図４に示すようにバイザ本体１０に取り付けられている。具体的には、トリム６０の突出部６１が、表側殻体１１の挿入口１１ｂに入り込むことで、左側から表側殻体１１の凹部１１ａに入り込み、嵌め込まれて、ミラーユニット１９はバイザ本体１０に取付けられる。ミラーユニット１９をバイザ本体１０に嵌め込むと、トリム６０の係止部６２ａ，６２ｂが表側殻体１１の外表面とともに表皮１３を挟んで保持する構造となっている。
【００２９】
続いて、本実施の形態に係るミラー付き車両用サンバイザの動作及び作用について図５，６を用いて説明する。なお、図６は使用者の顔を下方から視認した場合の図である。図５に示すように、右側照明具５０においては、まず発光ダイオード５２から照射された光が斜傾した第１反射板５３により、第２反射板５４に向けて反射される。第２反射板５４に向けて反射された光の大部分は、第２反射板５４から反射されて、レンズ５１側、すなわちバイザ本体の表側に向けてほぼ真っすぐ照射される。これは同一構造を持つ左側照明具４０も同様である。
【００３０】
図６に示すように、ここで、本実施の形態のように、左側照明具４０と右側照明具５０との間隔が１０〜２５ｃｍに設定されている。このため左側照明具４０及び右側照明具５０からほぼ真っすぐ照射される光は、使用者のグレアゾーン（図６の二点鎖線部参照）から外れる。このため、使用者は眩しさを感じずに済む。
【００３１】
一方で、左側照明具４０と右側照明具５０からの光はほぼ真っすぐにしか照射されないため、左側照明具４０と右側照明具５０に対向する位置にしか光が照射されない。このため、図６の使用者の顔でいう鼻横付近に陰影が生じる場合がある。ここで、バイザ本体１０の表側に設定された第１反射部１５や、ミラー蓋３０の第２反射部３５はいずれも白色である。これらの第１反射部１５，第２反射部３５から外光や照明の光の一部が反射することで、陰影はこの反射光に照らされ、顔全体が十分に照らされて見やすくなる。
【００３２】
〔他の実施の形態〕
以上では本発明を実施の形態について説明したが、本発明は当該形態に何ら限定されるものではない。言い換えれば、本発明の要旨を逸脱しない範囲内において、種々なる形態で実施することができる。
【００３３】
例えば、図２，３に示すように、バイザ本体１０の形状は、略矩形状であるが、その形状に限定されず、例えば台形形状であっても良い。また、実施の形態でミラー２０はトリム６０を介して間接的にバイザ本体１０に装着されているが、直接バイザ本体１０に装着されても良い。
【００３４】
バイザ本体１０の第１反射部１５の反射率が４０％以上となれば、例えば、白色に他の色が含まれても良い。また、実施の形態では、バイザ本体を形成する表皮のうち、使用者側の対応する面全体を白色としているが、矩形のミラーの上辺および／または下辺に沿う第１領域のみ、矩形のミラーの側辺に沿う第２領域のみ、あるいは第１領域および第２領域のみを白色としても良い。
【００３５】
バイザ本体１０の第１反射部１５と同様、ミラー蓋３０の第２反射部３５の反射率が６０％以上となれば、反射部３０は白色以外の色が含まれても良い。
【００３６】
また、実施の形態ではミラー蓋３０は開き位置と閉じ位置の間を回動する回動式のものを挙げているが、図７に示すミラー蓋７０のように、スライドしてミラー２０を露出したり、覆い隠したりするスライド式のものとしても良い。
【００３７】
また、図７に示すように、実施の形態及び他の実施の形態のミラー付き車両用サンバイザを装着する天井には、別途照明８を設けても良い。照明８からの光が加わることで、バイザ本体１０の第１反射部１５やミラー蓋３０の第２反射部３５からより多くの光が反射され、ミラーに映る使用者の顔や姿が見やすくなる。
【符号の説明】
【００３８】
１    ミラー付車両用サンバイザ
１０  バイザ本体
１５  第１反射部
２０  ミラー
３０  ミラー蓋（ミラーリッド）
３５  第２反射部
４０  左側照明具
５０  右側照明具
５３  第１反射板
５４  第２反射板
【図１】
2019084962.tif 000003
【図２】
2019084962.tif 000004
【図３】
2019084962.tif 000005
【図４】
2019084962.tif 000006
【図５】
2019084962.tif 000007
【図６】
2019084962.tif 000008
【図７】
2019084962.tif 000009